【手続補正書】
【提出日】平成17年8月12日(2005.8.12)
【手続補正１】
【補正対象書類名】明細書
【補正対象項目名】特許請求の範囲
【補正方法】変更
【補正の内容】
【特許請求の範囲】
【請求項１】
遊技盤面上に球を打ち出す遊技で始動条件が成立すると、図柄変動遊技が実行され、該図柄変動遊技で所定結果となった場合に、遊技者に有利な特賞が発生する遊技機において、
前記遊技盤面上に目視可能に設けられた可変表示装置と、遊技状態を制御する遊技制御装置とを有し、
前記可変表示装置は、各種図柄をそれぞれ表示可能な複数の表示部を備え、各表示部を１または複数のライン上に並べて表示し、
前記遊技制御装置は、
前記始動条件の成立に基づき、前記可変表示装置の各表示部で、各種図柄が変化した後に何れかの図柄が停止する前記図柄変動遊技を実行し、
前記図柄変動遊技中に、前記可変表示装置の何れかのライン上で所定の識別子が付加された図柄が停止した時を契機に、当該ライン上の１つの表示部だけを除いた他の表示部に、前記識別子が付加された図柄と同一図柄を出現させてリーチ表示状態になることを事前に予告するための前記所定の識別子を付加した図柄を出現させることを特徴とする遊技機。
【請求項２】
遊技盤面上に球を打ち出す遊技で始動条件が成立すると、図柄変動遊技が実行され、該図柄変動遊技で所定結果となった場合に、遊技者に有利な特賞が発生する遊技機において、
前記遊技盤面上に目視可能に設けられた可変表示装置と、遊技状態を制御する遊技制御装置とを有し、
前記可変表示装置は、各種図柄をそれぞれ表示可能な複数の表示部を備え、各種表示部を１又は複数のライン上に並べて表示し、
前記遊技制御装置は、
前記始動条件の成立に基づき、前記可変表示装置の各表示部で、各種図柄が変化した後に何れかの図柄が停止する前記図柄変動遊技を実行し、
前記図柄変動遊技中に、前記可変表示装置の何れかのライン上で所定の識別子が付加された図柄が停止した時を契機に、該識別子が付加された図柄の識別子が、遊技者が認識可能な状態で表示された所定確率を事前に表示し、前記図柄変動中の該識別子付図柄は前記所定確率で前記可変表示装置に大当たり表示する大当たり事前予告識別子付図柄であることを特徴とする遊技機。
【請求項３】
遊技盤面上に球を打ち出す遊技で始動条件が成立すると、図柄変動遊技が実行され、該図柄変動遊技で所定結果となった場合に、遊技者に有利な特賞が発生する遊技機において、
可変表示装置と、第１抽選実行手段と、図柄変動実行手段と、第２抽選実行手段と、特賞生成手段とを有し、
前記可変表示装置は、各種図柄をそれぞれ表示可能な複数の表示部を備え、各表示部を１または複数のライン上に並べて成り、
前記第１抽選実行手段は、前記始動条件の成立に基づき無作為な抽選を実行し、該抽選結果は、大当たり、リーチ当たり、およびハズレに場合分けされ、
前記図柄変動実行手段は、前記第１抽選実行手段による抽選実行に基づき、前記可変表示装置の各表示部で、各種図柄が変化した後に何れかの図柄が停止する前記図柄変動遊技を実行し、
前記図柄変動実行手段の制御によって、前記図柄変動遊技は、前記第１抽選実行手段の抽選結果に応じて、何れかのライン上で各表示部に停止した図柄が全部一致する大当たり表示と、何れかのライン上で所定の識別子が付加された図柄が停止し、その後当該ライン上にて１つの表示部だけを除いた他の表示部の図柄が一致するリーチ表示と、ハズレに相当するハズレ表示に場合分けされ、
前記第２抽選実行手段は、前記第１抽選実行手段による抽選結果に基づき、前記図柄変動遊技でリーチ表示となった場合に、前記識別子が付加された図柄により遊技者が認識可能な状態で表示された所定確率で大当たりとなる無作為な再抽選を実行し、
前記図柄変動実行手段は、前記第２抽選実行手段による再抽選結果が大当たりの場合に、前記図柄変動遊技の結果を、前記リーチ表示を経た大当たり表示に確定させ、
前記特賞生成手段は、前記第１抽選実行手段による抽選結果が大当たりの場合と、前記第２抽選実行手段による再抽選結果が大当たりの場合に、前記図柄変動遊技の終了後、前記特賞を発生させることを特徴とする遊技機。
【手続補正２】
【補正対象書類名】明細書
【補正対象項目名】０００９
【補正方法】変更
【補正の内容】
【０００９】
【課題を解決するための手段】
前述した目的を達成するための本発明の要旨とするところは、次の各項の発明に存する。
［１］遊技盤面（１１）上に球を打ち出す遊技で始動条件が成立すると、図柄変動遊技が実行され、該図柄変動遊技で所定結果となった場合に、遊技者に有利な特賞が発生する遊技機（１０）において、
前記遊技盤面（１１）上に目視可能に設けられた可変表示装置（３０）と、遊技状態を制御する遊技制御装置（１００）とを有し、
前記可変表示装置（３０）は、各種図柄をそれぞれ表示可能な複数の表示部（３１）を備え、各表示部（３１）を１または複数のライン上に並べて表示し、
前記遊技制御装置（１００）は、
前記始動条件の成立に基づき、前記可変表示装置（３０）の各表示部（３１）で、各種図柄が変化した後に何れかの図柄が停止する前記図柄変動遊技を実行し、
前記図柄変動遊技中に、前記可変表示装置（３０）の何れかのライン上で所定の識別子が付加された図柄が停止した時を契機に、当該ライン上の１つの表示部（３１）だけを除いた他の表示部（３１）に、前記識別子が付加された図柄と同一図柄を出現させてリーチ表示状態になることを事前に予告するための前記所定の識別子を付加した図柄を出現させることを特徴とする遊技機（１０）。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】変更
【補正の内容】
【００１２】
［２］遊技盤面（１１）上に球を打ち出す遊技で始動条件が成立すると、図柄変動遊技が実行され、該図柄変動遊技で所定結果となった場合に、遊技者に有利な特賞が発生する遊技機（１０）において、
前記遊技盤面（１１）上に目視可能に設けられた可変表示装置（３０）と、遊技状態を制御する遊技制御装置（１００）とを有し、
前記可変表示装置（３０）は、各種図柄をそれぞれ表示可能な複数の表示部（３１）を備え、各表示部（３１）を１または複数のライン上に並べて表示し、
前記遊技制御装置（１００）は、
前記始動条件の成立に基づき、前記可変表示装置（３０）の各表示部（３１）で、各種図柄が変化した後に何れかの図柄が停止する前記図柄変動遊技を実行し、
前記図柄変動遊技中に、前記可変表示装置（３０）の何れかのライン上で所定の識別子が付加された図柄が停止した時を契機に、該識別子が付加された図柄の識別子が、遊技者が認識可能な状態で表示された所定確率を事前に表示し、前記図柄変動中の該識別子付図柄は前記所定確率で前記可変表示装置（３０）に大当たり表示する大当たり事前予告識別子付図柄であることを特徴とする遊技機（１０）。
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】変更
【補正の内容】
【００１４】
［３］遊技盤面（１１）上に球を打ち出す遊技で始動条件が成立すると、図柄変動遊技が実行され、該図柄変動遊技で所定結果となった場合に、遊技者に有利な特賞が発生する遊技機（１０）において、
可変表示装置（３０）と、第１抽選実行手段（１１１）と、図柄変動実行手段（１１３）と、第２抽選実行手段（１１４）と、特賞生成手段（１１５）とを有し、
前記可変表示装置（３０）は、各種図柄をそれぞれ表示可能な複数の表示部（３１）を備え、各表示部（３１）を１または複数のライン上に並べて成り、
前記第１抽選実行手段（１１１）は、前記始動条件の成立に基づき無作為な抽選を実行し、該抽選結果は、大当たり、リーチ当たり、およびハズレに場合分けされ、
前記図柄変動実行手段（１１３）は、前記第１抽選実行手段（１１１）による抽選実行に基づき、前記可変表示装置（３０）の各表示部（３１）で、各種図柄が変化した後に何れかの図柄が停止する前記図柄変動遊技を実行し、
前記図柄変動実行手段（１１３）の制御によって、前記図柄変動遊技は、前記第１抽選実行手段（１１１）の抽選結果に応じて、何れかのライン上で各表示部（３１）に停止した図柄が全部一致する大当たり表示と、何れかのライン上で所定の識別子が付加された図柄が停止し、その後当該ライン上にて１つの表示部（３１）だけを除いた他の表示部（３１）の図柄が一致するリーチ表示と、ハズレに相当するハズレ表示に場合分けされ、
前記第２抽選実行手段（１１４）は、前記第１抽選実行手段（１１１）による抽選結果に基づき、前記図柄変動遊技でリーチ表示となった場合に、前記識別子が付加された図柄により遊技者が認識可能な状態で表示された所定確率で大当たりとなる無作為な再抽選を実行し、
前記図柄変動実行手段（１１３）は、前記第２抽選実行手段（１１４）による再抽選結果が大当たりの場合に、前記図柄変動遊技の結果を、前記リーチ表示を経た大当たり表示に確定させ、
前記特賞生成手段（１１５）は、前記第１抽選実行手段（１１１）による抽選結果が大当たりの場合と、前記第２抽選実行手段（１１４）による再抽選結果が大当たりの場合に、前記図柄変動遊技の終了後、前記特賞を発生させることを特徴とする遊技機（１０）。
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】